(57)【要約】【課題】  水洗トイレ用の洗浄水タンク内又はその直近で、電気分解で発生させた微細気泡及び電解水を洗浄水に導入するようにして、洗浄水の洗浄及び除菌の各能力を高めて、洗浄対象の便器を適切に清浄化及び除菌可能な、微細気泡含有水生成装置を提供する。【解決手段】  洗浄水タンク９０内又はその近傍に本体部２０で支持された電気分解用の対向電極部１０を設け、対向電極部１０の周囲及び各電極間に洗浄水タンク９０内の水、又は、タンクに供給されようとする水、を流通させて電気分解を行い、電気分解により発生した微細気泡と電解水を洗浄水として排出予定の水に導入することから、洗浄水タンク９０内の水に微細気泡による洗浄機能と電解水による除菌機能を付与して、これを洗浄水として洗浄水タンク９０から排出して使用した際には、便器を確実に洗浄できると共に便器の除菌を実行でき、便器を清潔で安全な状態に維持できる。【選択図】  図１
2018108555.tif 000002
【特許請求の範囲】
【請求項１】
水の電気分解用の陽極部と陰極部を対向状態としつつ交互に一又は複数並べて一体化して形成される対向電極部と、
当該対向電極部の周囲部分と外部との間で水を流通可能とする状態で対向電極部を支持する本体部とを備え、
当該本体部が、水洗トイレ用洗浄水タンク内、又は当該洗浄水タンクの近傍に配設されて、洗浄水タンク内に既に入った、又は洗浄水タンクに入ろうとする水の少なくとも一部を、前記対向電極部の周囲及び前記陽極部と陰極部との間の隙間に流通可能とし、
前記対向電極部に所定の給電手段より電力を供給して、少なくとも電気分解に由来する気体の微細気泡及び電解水を発生させることを
特徴とする微細気泡含有水生成装置。
【請求項２】
前記請求項１に記載の微細気泡含有水生成装置において、
前記本体部が、水を所定量貯留可能な貯留部を少なくとも有すると共に、当該貯留部と外部との間で水を流通可能とする開放部分を一又は複数設けられてなり、
前記対向電極部が、前記本体部の貯留部に収容配設されることを
特徴とする微細気泡含有水生成装置。
【請求項３】
前記請求項１又は２に記載の微細気泡含有水生成装置において、
前記本体部に取り付けられ、前記対向電極部の陽極部と陰極部間に水の流通状態を生じさせる水流発生手段を備えることを
特徴とする微細気泡含有水生成装置。
【請求項４】
前記請求項３に記載の微細気泡含有水生成装置において、
前記水流発生手段が、前記対向電極部の陽極部と陰極部間における水の流通状態を、電気分解で発生した気体の微細気泡がウルトラファインバブルの大きさまで成長すると対向電極部表面にとどまれず離脱する程度に生じさせることを
特徴とする微細気泡含有水生成装置。
【請求項５】
前記請求項１ないし４のいずれかに記載の微細気泡含有水生成装置において、
前記本体部に取り付けられ、前記給電手段と電気的に接続されて、少なくとも前記対向電極部への前記給電手段からの電力供給を制御する制御回路部と、
前記本体部に配設され、本体部近傍における水の流動状態を検出して前記制御回路部に対し検出状態を伝える検出部とを備え、
前記制御回路部が、前記検出部からの検出状態伝達を受けてから、所定のタイミングで対向電極部への電力供給を開始させることを
特徴とする微細気泡含有水生成装置。
【請求項６】
前記請求項１ないし４のいずれかに記載の微細気泡含有水生成装置において、
前記本体部に取り付けられ、前記給電手段と電気的に接続されて、少なくとも前記対向電極部への前記給電手段からの電力供給を制御する制御回路部と、
前記洗浄水タンクの排水部分又は給水部分に配設され、洗浄水タンクにおける水排出又は洗浄水タンク内への水供給を検出して、前記制御回路部に対し検出状態を伝える検出部とを備え、
前記制御回路部が、前記検出部からの検出状態伝達を受けてから、所定のタイミングで対向電極部への電力供給を開始させることを
特徴とする微細気泡含有水生成装置。
【発明の詳細な説明】
【技術分野】
【０００１】
本発明は、水を電気分解して微細気泡と電解水を生成する微細気泡含有水生成装置に関し、特に、水洗トイレの洗浄水タンク内の水、又はタンクに供給される水を電気分解して、微細気泡と電解水を含む洗浄水をタンクから排出使用可能とするものに関する。
【０００２】
なお、本発明で用いる「微細気泡」は、ファインバブル（サイズが約１００μｍ以下の泡）に相当するものであり、いわゆるマイクロバブル（サイズが１μｍないし１００μｍ程度の泡）とウルトラファインバブル（サイズが数十ｎｍないし１μｍ程度の泡）を含むものである。
【背景技術】
【０００３】
水洗トイレの洗浄に用いられる水には、一般に水道水や、一度使用された水を浄化処理した処理水が使用されている。こうした水は除菌効果がそれほど高くなく、便器における雑菌の繁殖を防止できない場合があることから、便器の洗浄等に用いられる水に除菌能力を付与する試みが従来よりなされてきた。近年、水の電気分解により除菌能力のある電解水を発生させ、これを便器の除菌に適用可能とする装置が提案されている。こうした従来装置の例として、特開２０００−９６６６６号公報に開示されるものがある。
【先行技術文献】
【特許文献】
【０００４】
【特許文献１】特開２０００−９６６６６号公報
【発明の概要】
【発明が解決しようとする課題】
【０００５】
従来の除菌可能な水の生成装置は、前記特許文献に示される構成とされており、洗浄水貯水部（タンク）に給水される水の一部を、いったん貯水部外の殺菌水生成器に導き、電気分解等により水を改質した後、その水を吐水通路及び溢水管を経て便器に流すものとなっていたことから、貯水部外に殺菌水生成器を設置すると共に、貯水部の構造を変更して殺菌水生成器に水を流通させる配管等を設ける必要があり、複雑な構造となることで、設置に手間やコストがかかるものとなっており、容易に導入できないという課題を有していた。
【０００６】
また、この従来の装置では、除菌の前提として洗浄水による便器の洗浄が適切になされていることが必要となるが、洗浄水の洗浄能力については通常の水と変わりなく、洗浄が不十分であった場合、雑菌の繁殖を招くおそれがあるという課題を有していた。
【０００７】
加えて、殺菌水生成器で電気分解により改質された水は、溢水管等を経て直接便器に向かい、貯水部には導入されないことから、貯水部内の洗浄水は特別な除菌能力を有していないこともあり、貯水部内において雑菌の繁殖やそれに伴う汚れ、水質劣化が生じるおそれがあり、便器の洗浄にも悪影響が及ぶことがあるという課題を有していた。
【０００８】
さらに、改質された水は、それのみで便器に流入するが、洗浄水に比べて少量であるため、洗浄水のように水勢で便器の各部に行き渡らせることができず、水が到達できない箇所では十分に除菌の効果を発揮させられないという課題を有していた。
【０００９】
本発明は前記課題を解消するためになされたもので、水洗トイレ用の洗浄水タンク内又はその直近で、電気分解で発生させた微細気泡及び電解水をタンク内の洗浄水に導入するようにして、洗浄水の洗浄及び除菌の各能力を高めて、洗浄対象の便器を適切に清浄化及び除菌可能な、微細気泡含有水生成装置を提供することを目的とする。
【課題を解決するための手段】
【００１０】
本発明の開示に係る微細気泡含有水生成装置は、水の電気分解用の陽極部と陰極部を対向状態としつつ交互に一又は複数並べて一体化して形成される対向電極部と、当該対向電極部の周囲部分と外部との間で水を流通可能とする状態で対向電極部を支持する本体部とを備え、当該本体部が、水洗トイレ用洗浄水タンク内、又は当該洗浄水タンクの近傍に配設されて、洗浄水タンク内に既に入った、又は洗浄水タンクに入ろうとする水の少なくとも一部を、前記対向電極部の周囲及び前記陽極部と陰極部との間の隙間に流通可能とし、前記対向電極部に所定の給電手段より電力を供給して、少なくとも電気分解に由来する気体の微細気泡及び電解水を発生させるものである。
【００１１】
このように本発明の開示によれば、洗浄水タンク内又はその近傍に本体部で支持された電気分解用の対向電極部を設け、対向電極部の周囲及び各電極間に洗浄水タンク内の水、又は、タンクに供給されようとする水、を流通させて電気分解を行い、電気分解により発生した微細気泡と電解水を洗浄水タンク内の洗浄水として排出予定の水に導入することにより、洗浄水タンク内の水に微細気泡による洗浄機能と電解水による除菌機能を付与して、これを洗浄水として洗浄水タンクから排出して使用した際には、便器を確実に洗浄できると共に便器の除菌を実行でき、さらに、洗浄水の一部が便器のトラップに水封部分として留まり、便器への汚れの再付着防止や便器の除菌を図る状態を所定時間保持できることとなり、便器を清潔で安全な状態に維持できる。
【００１２】
また、対向電極部で電気分解して得た微細気泡と電解水を洗浄水として使用される水に直接導入する簡略な構造として、容易に設置することができ、導入のためのコストを抑えられると共に、微細気泡や電解水が水中に留まりやすく、水の洗浄能力と除菌能力をできる限り高めた状態で洗浄水として便器へ送り出せる。
【００１３】
また、本発明の開示に係る微細気泡含有水生成装置は必要に応じて、前記本体部が、水を所定量貯留可能な貯留部を少なくとも有すると共に、当該貯留部と外部との間で水を流通可能とする開放部分を一又は複数設けられてなり、前記対向電極部が、前記本体部の貯留部に収容配設されるものである。
【００１４】
このように本発明の開示によれば、本体部が水を流通可能とした貯留部を有して、この貯留部に対向電極部を収容配設して、貯留部に一旦水が入ると、本体部周囲に水が存在せず給水もない状況に至っても、対向電極部の周囲及び電極間に水がある状態をそのまま維持できることにより、洗浄水タンクから水を排出したり、洗浄水タンクが満水で給水がなされない状況など、本体部に対し水の流通がない時期でも、対向電極部を常時水と接触させて、電気分解を無理なく実行でき、電気分解を洗浄水タンクへの給水タイミングと別個に最適なタイミングで行って、洗浄水に対し効率よく微細気泡と電解水を導入することができる。
【００１５】
また、本発明の開示に係る微細気泡含有水生成装置は必要に応じて、前記本体部に取り付けられ、前記対向電極部の陽極部と陰極部間に水の流通状態を生じさせる水流発生手段を備えるものである。
【００１６】
このように本発明の開示によれば、対向電極部に対し外部から水を流通させて対向電極部各表面に電気分解に伴う気泡及び電解水を発生させると共に、水流発生手段で対向電極部間に水流を積極的に生じさせ、対向電極部の表面から発生気体の気泡を離脱させて本体部から洗浄水タンク内の水に進行させることにより、対向電極部の表面に発生した気体の気泡を、水流発生手段による水流が対向電極部から速やかに離脱させて、所望の微細気泡、例えばウルトラファインバブルの状態で、洗浄水タンクの水中に確実に導入でき、浮力の小さい微細気泡を浮上させずに水中により長く保持可能となり、微細気泡をできるだけ洗浄水タンク内の水中に残存させ、洗浄水として使用する際に水中の微細気泡の量を十分確保して、便器洗浄状態で微細気泡による洗浄効果を最大限に発揮させることができる。
【００１７】
また、本発明の開示に係る微細気泡含有水生成装置は必要に応じて、前記水流発生手段が、前記対向電極部の陽極部と陰極部間における水の流通状態を、電気分解で発生した気体の微細気泡がウルトラファインバブルの大きさまで成長すると対向電極部表面にとどまれず離脱する程度に生じさせるものである。
【００１８】
このように本発明の開示によれば、水流発生手段で対向電極部間に水流を生じさせ、対向電極部の表面に電気分解で生じた気泡をウルトラファインバブルとして離脱させて、洗浄水タンク内の水に導入することにより、水中に長く留まれる性質を有するウルトラファインバブルを洗浄水タンクの水中に長時間にわたり存在させられ、洗浄水を使用する際にウルトラファインバブルの洗浄効果を確実に発揮させて便器洗浄を効率よく実行できると共に、洗浄後も便器の水封部分においてウルトラファインバブルが長時間存在し続け、便器への汚れの再付着を確実に防ぎ、洗浄済みの便器の清浄な状態を長時間保持できる。
【００１９】
また、本発明の開示に係る微細気泡含有水生成装置は必要に応じて、前記本体部に取り付けられ、前記給電手段と電気的に接続されて、少なくとも前記対向電極部への前記給電手段からの電力供給を制御する制御回路部と、前記本体部に配設され、本体部近傍における水の流動状態を検出して前記制御回路部に対し検出状態を伝える検出部とを備え、前記制御回路部が、前記検出部からの検出状態伝達を受けてから、所定のタイミングで対向電極部への電力供給を開始させるものである。
【００２０】
このように本発明の開示によれば、制御回路部で対向電極部への電力供給を制御すると共に、本体部に設けた検出部で、洗浄水タンクにおける排水や給水に伴って生じる本体部周りの水流を検出して、検出状態を制御回路部に伝達可能とし、検出部がこうした水流を検出すると、排水や給水を経て、洗浄水タンク内の水が電気分解で発生した気泡及び電解水を問題なく導入できる状態にある所定のタイミングで、制御回路部が対向電極部への電力供給を開始させることにより、対向電極部周囲の水に対し適切なタイミングで電気分解を行って、洗浄水タンク内の水に対し、微細気泡や電解水を無駄なく十分に導入することができ、洗浄水に微細気泡や電解水による洗浄能力や除菌能力を適切に付与できると共に、微細気泡や電解水の導入から洗浄水の排出まで過剰に時間が経過しないようにして、洗浄能力や除菌能力を十分に発揮できる期間に洗浄水を排出して使用できることとなり、便器の洗浄と除菌を効率よく実行できる。また、使用者側の水の電気分解に係る指示操作の手間を省くことができ、使い勝手を向上させられる。
【００２１】
また、本発明の開示に係る微細気泡含有水生成装置は必要に応じて、前記本体部に取り付けられ、前記給電手段と電気的に接続されて、少なくとも前記対向電極部への前記給電手段からの電力供給を制御する制御回路部と、前記洗浄水タンクの排水部分又は給水部分に配設され、洗浄水タンクにおける水排出又は洗浄水タンク内への水供給を検出して、前記制御回路部に対し検出状態を伝える検出部とを備え、前記制御回路部が、前記検出部からの検出状態伝達を受けてから、所定のタイミングで対向電極部への電力供給を開始させるものである。
【００２２】
このように本発明の開示によれば、制御回路部で対向電極部への電力供給を制御すると共に、検出部で洗浄水タンクにおける水排出又は洗浄水タンクへの水供給を検出して、検出状態を制御回路部に伝達可能とし、検出部が水排出又は水供給を検出すると、排水や給水を経て、洗浄水タンク内の水が電気分解で発生した気泡及び電解水を問題なく導入できる状態にある所定のタイミングで、制御回路部が対向電極部への電力供給を開始させることにより、対向電極部周囲の水に対し適切なタイミングで電気分解を行って、洗浄水タンク内の水に対し、微細気泡や電解水を無駄なく十分に導入することができ、洗浄水に微細気泡や電解水による洗浄能力や除菌能力を適切に付与できると共に、微細気泡や電解水の導入から洗浄水の排出まで過剰に時間が経過しないようにして、洗浄能力や除菌能力を十分に発揮できる期間に洗浄水を排出して使用できることとなり、便器の洗浄と除菌を効率よく実行できる。また、使用者側の水の電気分解に係る指示操作の手間を省くことができ、使い勝手を向上させられる。
【図面の簡単な説明】
【００２３】
【図１】本発明の第１の実施形態に係る微細気泡含有水生成装置の洗浄水タンク内の要部構成図である。
【図２】本発明の第１の実施形態に係る微細気泡含有水生成装置のブロック図である。
【図３】本発明の第１の実施形態に係る微細気泡含有水生成装置における洗浄水タンク内配設状態の本体部の内部構造説明図である。
【図４】本発明の第１の実施形態に係る微細気泡含有水生成装置における対向電極部の平面図である。
【図５】本発明の第１の実施形態に係る微細気泡含有水生成装置における本体部の第１の他例の内部構造説明図である。
【図６】本発明の第１の実施形態に係る微細気泡含有水生成装置における本体部の第２の他例の内部構造説明図である。
【図７】本発明の第１の実施形態に係る微細気泡含有水生成装置における本体部の第３の他例の内部構造説明図である。
【図８】本発明の第１の実施形態に係る微細気泡含有水生成装置における対向電極部の他の構成例説明図である。
【図９】本発明の第２の実施形態に係る微細気泡含有水生成装置における要部概略構成説明図である。
【図１０】本発明の第２の実施形態に係る微細気泡含有水生成装置における本体部の第１の他例の内部構造説明図である。
【図１１】本発明の第２の実施形態に係る微細気泡含有水生成装置における本体部の第２の他例の内部構造説明図である。
【図１２】本発明の第２の実施形態に係る微細気泡含有水生成装置における本体部内への電池配設状態説明図である。
【図１３】本発明の第３の実施形態に係る微細気泡含有水生成装置の洗浄水タンク内の要部構成図である。
【図１４】本発明の第３の実施形態に係る微細気泡含有水生成装置における洗浄水タンク内の他の要部構成図である。
【図１５】本発明の第４の実施形態に係る微細気泡含有水生成装置の洗浄水タンク内の要部構成図である。
【図１６】本発明の第４の実施形態に係る微細気泡含有水生成装置における洗浄水タンク蓋部上側配設状態の本体部の内部構造説明図である。
【図１７】本発明の第４の実施形態に係る微細気泡含有水生成装置における本体部の洗浄水タンク蓋部下側配設状態説明図である。
【図１８】本発明の第５の実施形態に係る微細気泡含有水生成装置の洗浄水タンク内の要部構成図である。
【図１９】本発明の第５の実施形態に係る微細気泡含有水生成装置における洗浄水タンク蓋部内側配設状態の本体部の内部構造説明図である。
【図２０】本発明の第６の実施形態に係る微細気泡含有水生成装置を適用した洗浄水タンクと便器の接続状態説明図である。
【発明を実施するための形態】
【００２４】
（本発明の第１の実施形態）
以下、本発明の第１の実施形態に係る微細気泡含有水生成装置を前記図１ないし図４に基づいて説明する。
前記各図において本実施形態に係る微細気泡含有水生成装置１は、水の電気分解用の陽極部１１と陰極部１２を対向状態としつつ交互に複数並べて一体化して形成される対向電極部１０と、この対向電極部１０の周囲部分と外部との間で水を流通可能とする状態で対向電極部１０を支持する本体部２０と、本体部２０に配設され、対向電極部１０の陽極部１１と陰極部１２間に水の流通状態を生じさせる前記水流発生手段としてのポンプ部３０と、対向電極部１０に電力を供給する前記給電手段としての給電部４０と、この給電部４０と電気的に接続されて給電部４０から対向電極部１０への電力供給を制御する制御回路部５０と、洗浄水タンク９０における水の流動状態を検出して制御回路部５０に対し検出状態を伝える検出部６０とを備える構成である。
【００２５】
なお、本実施形態の微細気泡含有水生成装置１における対向電極部２０や通電のための各部品などの、水の電気分解により電解水や気泡を生成する仕組み自体については、水素水生成器など、公知の電解水生成装置と同様のものであり、詳細な説明を省略する。
【００２６】
また、本実施形態の微細気泡含有水生成装置１を設ける洗浄水タンク９０は、給水を制御するボールタップ９１、使用者が排水操作を行うハンドル（レバー）９２、タンク内からの洗浄水排出を制御するフロート弁９３、給水の一部を手洗水としてタンク上部から吐出する手洗カラン９４等を備える水洗トイレ用の公知の装置であり、詳細な説明を省略する。
【００２７】
前記対向電極部１０は、金属製薄板からなる陽極部１１と陰極部１２とを所定間隔で対向状態としつつ交互に複数並べて一体化して形成されるものであり、陽極部１１と陰極部１２の並ぶ向きを上下方向に一致させるようにして本体部２０に取り付けられて、洗浄水タンク９０内の底部に支持される構成である。
【００２８】
この対向電極部１０をなす陽極部１１と陰極部１２には、気泡を洗浄水タンク９０内の水中に進みやすくする貫通孔１１ａ、１２ａがそれぞれ複数穿設される構成である。これら陽極部１１と陰極部１２は制御回路部５０と電気的に接続されて通電を制御される。
【００２９】
こうした対向電極部１０に対し、その周囲には常時水が存在するようにされており、制御回路部５０による制御下で通電を実行することで、水の電気分解を行わせて電解水を生成すると共に微細気泡を発生させ、電解水と微細気泡を洗浄水タンク９０内の水に導入できる仕組みである。
【００３０】
この対向電極部１０は、これを支持する本体部２０に対し着脱可能とされており、対向電極部１０を本体部２０から取り外した場合には、対向電極部１０に対し析出物を除去するなどメンテナンスを行える他、新品と交換することができる。
【００３１】
なお、対向電極部１０をなす陽極部１１と陰極部１２は、金属製の単純な平板状の薄板として形成される構成に限らず、表面積を増やすように凹凸やリブを設けたり、細かく蛇腹状に多数回屈曲させた形状を有するものとすることもできる。
【００３２】
前記本体部２０は、略枠状体として形成され、対向電極部１０、ポンプ部３０、制御回路部５０、及び検出部６０を一体に取り付けられてなり、洗浄水タンク９０内の底面に着脱可能に配設されるものである。この本体部２０と、これに取り付けられる対向電極部１０、ポンプ部３０、制御回路部５０、及び検出部６０の各部品は、洗浄水タンク９０に対しタンク内側で本体部２０ごと着脱されることとなる。
【００３３】
この本体部２０は、洗浄水タンク９０内に配設されると共に、洗浄水タンク９０の内部空間に対し開放状態となっていることで、この本体部２０で支持する対向電極部１０の周囲及び陽極部１１と陰極部１２との間の隙間に、洗浄水タンク９０内の水を流通可能とする仕組みである。そして、本体部２０は、対向電極部１０を本体部２０内の上部に配置するよう支持しており、対向電極部１０で発生した気泡を洗浄水タンク９０内の水に移行しやすくしている。
【００３４】
また、本体部２０は、洗浄水タンク９０の底に配設されており、洗浄水タンク９０からの水の排出を制御するフロート弁９３の機構上、フロート弁９３が開いて洗浄水タンク９０から洗浄水が排出される際も、洗浄水タンク９０から洗浄水が完全に排出される前にフロート弁９３は閉止状態となり、洗浄水タンク９０内に水が常に一定量残ることから、本体部２０はタンク内の水中に一部没した状態を維持し、対向電極部１０の周囲に常に水が存在する状態が確保されている。
【００３５】
この本体部２０の一部は、対向電極部１０の上側に位置して対向電極部１０をカバー状に覆う配置とされており、対向電極部１０を人が誤って触れないよう隔離、保護する一方、水や気泡は通過可能として、対向電極部１０における水の電気分解や、対向電極部１０側から洗浄水タンク９０の内部空間側への電解水及び気泡の進行を妨げないものとなっている。
【００３６】
前記ポンプ部３０は、水流発生手段として本体部２０内に対向電極部１０の側方に位置するようにして配設され、対向電極部１０の陽極部１１と陰極部１２間に水の流通状態を生じさせるものであり、制御回路部５０と電気的に接続されて給電部４０から電力供給可能とされる構成である。このポンプ部３０は、本体部２０内に配設可能な小型のものとされるが、電力を供給されて作動し、水を送給する機能については公知の電動ポンプと同様のものであり、詳細な説明を省略する。
【００３７】
ポンプ部３０は、給電手段をなす給電部４０から電力を供給される制御回路部５０の制御に基づいて作動し、洗浄水タンク９０の水を取り入れて対向電極部１０の各陽極部１１と陰極部１２間に送り出すこととなる。
【００３８】
このポンプ部３０で対向電極部１０の陽極部１１と陰極部１２間に生じさせる水流の流速を調整することで、対向電極部１０表面から気泡が剥がされて離脱するタイミングを調節制御し、洗浄水タンク９０の水に導入する微細気泡の大きさを適切なものとすることができる。例えば、水流の流速を大きくすると、発生気体の気泡がより小さい状態で各電極部（陽極部１１と陰極部１２）から離れて洗浄水タンク９０の水中に導入されることとなり、水中を上昇しにくい微細気泡がより長い時間にわたって水中に保持される状態が見込める。
【００３９】
また、例えば、水流の流速を小さくすると、発生気体の気泡が隣接するものと繋がって成長し、気泡がより大きくなった状態で各陽極部１１から離れて洗浄水タンク９０の水中に達することとなり、水中を上昇しやすい大きな気泡を速やかに水中から空気中に放出させる状態が見込める。
【００４０】
なお、ポンプ部３０と対向電極部１０との配置関係については、対向電極部１０の隙間の連続方向と平行にポンプ部３０から水を導入可能な例として示しているが、これに限らず、ポンプ部からの水が対向電極部の電極面に対し直角となる向きで送られて、水流が電極部の各貫通孔や電極部の側方を経て電極部間の領域に出入りしながら洗浄水タンク９０に向けて進行するように配置を設定する構成とすることもできる。
【００４１】
前記給電部４０は、給電手段として、制御回路部５０と電気的に接続され、外部の電源（商用電源など）から電力供給を受けて、制御回路部５０を介して対向電極部１０及びポンプ部３０に電力供給可能とされるＡＣアダプタ等の公知の電源装置であり、洗浄水タンク９０の外側に配置される構成である。
【００４２】
前記制御回路部５０は、本体部２０に防水状態として配設され、対向電極部１０とポンプ部３０に電気的に接続されると共に、給電部４０とも電力供給を受ける状態で接続されて、対向電極部１０とポンプ部３０への給電部４０からの電力供給を制御するものである。
【００４３】
制御回路部５０は、検出部６０と通信を行って検出部６０から出力される検出状態を表す制御信号を受信可能とされ、洗浄水タンク９０における水の流動状態を検出した検出部６０からの制御信号による検出状態伝達を受けてから、適切なタイミング（例えば、洗浄水を排出した洗浄水タンク９０が給水により新たに満水状態に至り、タンク内の水の過剰な流動が治まって電気分解で発生した気泡及び電解水を問題なく水に導入可能な時点など）で対向電極部１０とポンプ部３０への電力供給を開始させる仕組みである。
【００４４】
そして、制御回路部５０は、検出部６０からの制御信号を受けた後、あらかじめ設定された所定期間にわたり、対向電極部１０とポンプ部３０への電力供給を継続させる制御を行い、洗浄水タンク９０内の水に微細気泡や電解水を十分に導入した後の所定タイミングで、対向電極部１０とポンプ部３０への電力供給を終了させることとなる。
【００４５】
制御回路部５０の対向電極部１０等への電力供給を継続させる期間の算出基準は、検出部６０からの制御信号を受けた時点となっているが、これに限らず、洗浄水タンク９０の満水状態を検出する他のセンサを設け、こうしたセンサで満水状態を検出し、検出に係る制御信号を制御回路部５０が受けた時点を基準として、カウントされる所定時間後まで対向電極部１０等への電力供給を継続させるよう制御を行う構成とすることもできる。
【００４６】
また、制御回路部５０は、あらかじめ設定されたタイミングで対向電極部１０やポンプ部３０への電力供給を開始、終了するようにされる他に、検出部６０での水の流動状態の検出のタイミングやその頻度から、洗浄水タンク９０からの平均的な水排出間隔を学習し、洗浄水タンク９０から洗浄水が排出される予想時点の直前の、微細気泡や電解水を十分に洗浄水に導入可能な所定期間にわたり、対向電極部１０とポンプ部３０への電力供給を行って、電気分解で発生した気泡及び電解水を洗浄水に導入するように制御を行う構成とすることもできる。この場合、洗浄水タンク９０からの水排出の直前に電気分解を実行して気泡及び電解水を洗浄水に導入でき、洗浄水に導入した微細気泡の洗浄能力や電解水の除菌能力が時間経過により低下するようなことがなく、洗浄水において洗浄能力や除菌能力を最大限に発揮させられ、便器の洗浄と除菌を効率よく実行できる。
【００４７】
この他、制御回路部に制御信号を送信可能な所定の操作部を設け、この操作部への使用者の操作入力がなされて、操作部からの制御信号を制御回路部が受け取ると、操作に対応させて対向電極部１０とポンプ部３０への電力供給を開始又は終了するように制御を実行する構成としてもかまわない。
【００４８】
前記検出部６０は、本体部２０に配設され、洗浄水タンク９０内での本体部２０近傍における水の流動状態を検出して、制御回路部５０に対し検出状態を伝えるものである。具体的には、例えば、排水や給水により生じる水の流動に伴う水圧変化を検出するセンサや、水圧変化に応じて開閉状態が切り替わるスイッチとすることができる。
【００４９】
検出部６０は制御回路部５０と電気的に接続されて制御信号をやり取り可能とされるか、制御回路部５０と無線通信可能とされて、洗浄水タンク９０における水排出を検出した際に、所定の制御信号を制御回路部５０に発信する。制御回路部５０では検出部６０からの信号を受け取って水の流動状態の検出状態を判別し、対向電極部１０とポンプ部３０への電力供給制御を行う。
【００５０】
次に、本実施形態に係る微細気泡含有水生成装置の使用状態について説明する。前提として、洗浄水タンク９０の外に設けられる給電手段としての給電部４０が、外部の電源（図示を省略）と接続されて電力供給を継続的に行える状態となっており、給電部４０からの電力伝送に基づいて、制御回路部５０を通じた対向電極部１０やポンプ部３０への電力供給が可能な状態にあるものとする。また、洗浄水タンク９０には対向電極部１０、ポンプ部３０、及び制御回路部５０と一体の本体部２０があらかじめ配設された上で、洗浄水タンク９０には使用のつど十分な量の水が補給されるものとする。
【００５１】
使用者の洗浄水を流すハンドル（レバー）９２操作により、洗浄水タンク９０のフロート弁９３が開放し、洗浄水タンク９０から水が洗浄水として便器へ向け排出されると、この水排出に伴う水の流動状態を検出部６０が検出し、検出に係る制御信号が、検出部６０から制御回路部５０に送信される。
【００５２】
この制御信号を制御回路部５０が受信すると、制御回路部５０は、所定時間経過後の適切なタイミングで対向電極部１０とポンプ部３０への電力供給を開始させることとなる。洗浄水タンク９０からの水の排出を経ても、洗浄水タンク９０内には一定量の水が残ることで、対向電極部１０の周囲には水が存在しており、仮にこの時点で制御回路部５０が対向電極部１０の陽極部１１及び陰極部１２への通電を実行したとしても、対向電極部１０周囲の水の電気分解を進行させることができる。
【００５３】
洗浄水の排出後、洗浄水タンク９０ではフロート弁９３が閉止すると共にボールタップ９１の作動により給水状態となり、洗浄水タンク９０には時間を置かずに水が補給される。洗浄水タンク９０においては、水の継続的な補給によりタンク内の水が満水状態に達すると、ボールタップ９１が閉止状態に移行して給水終了となる。
【００５４】
制御回路部５０は、タンクの満水状態に至った後しばらく経って、タンク内の水の過剰な流動が治まり、電気分解で発生した気泡及び電解水を問題なく水に導入可能な段階で、且つ次に洗浄水が排出使用される機会より前となる所定タイミングで、あらかじめ設定された生成速度で発生気体の気泡が得られるように、対向電極部１０の陽極部１１及び陰極部１２への通電を実行して、対向電極部１０周囲の水の電気分解を進行させる。
【００５５】
対向電極部１０の陽極部１１及び陰極部１２への通電による水の電気分解は、対向する陽極部１１と陰極部１２に挟まれた領域で進行していく。公知の電気分解の場合と同様、陰極部１２では還元により気体（例えば、水素など）が表面に気泡として多数発生し、且つ各気泡が成長する状態となる。また、陽極部１１側では、酸化により気体（例えば、酸素など）が表面に気泡として多数発生し、且つ各気泡が成長する状態となる。加えて、陽極部１１及び陰極部１２の各近傍では電気分解に伴い電解水がそれぞれ生じ、特に、一方の電極側で除菌効果の高い電解水（例えば、次亜塩素酸を含むもの）が生じることとなる。
【００５６】
制御回路部５０は、電気分解に係る対向電極部１０への通電と共に、ポンプ部３０への通電も合わせて行っており、電気分解と同時に、ポンプ部３０による対向電極部１０の陽極部１１と陰極部１２間への水の送給がなされ、陽極部１１と陰極部１２の間には水が流れる状態となっている。
【００５７】
こうして電気分解を行う中、陽極部１１や陰極部１２の表面で発生した気泡は、水の流れがない場合は所定の大きさまで成長後、その浮力により陽極部１１や陰極部１２を離れることとなるが、ポンプ部３０が陽極部１１と陰極部１２の間に十分な水流を生じさせていることで、陽極部１１や陰極部１２で発生した気泡のこれらの表面からの離脱を促せることとなる。
【００５８】
したがって、陽極部１１や陰極部１２の表面に発生した気泡は、あまり成長せず小さい微細気泡（例えば、ウルトラファインバブル）の状態のまま、陽極部１１や陰極部１２の表面から離れ、陽極部１１や陰極部１２の側方あるいは貫通孔を通って上方へ向かい、水中を本体部２０から洗浄水タンク９０内へと進む。
【００５９】
このように対向電極部１０から洗浄水タンク９０の水中に達する気泡を小さい微細気泡としていることで、気泡の浮力を抑えて水中により長く留まらせることができる。すなわち、洗浄水として使用される水において、微細気泡の量を十分なものとすることができ、微細気泡の洗浄促進の機能を最大限発揮させられる。
【００６０】
気泡の大きさは、制御回路部５０によるポンプ部３０の作動状態の制御で、水流の流速を変えて、水流が気泡を対向電極部１０の各表面から引き離す度合いを変化させることで調整でき、微細気泡におけるマイクロバブルの割合を多くしたり、逆にウルトラファインバブルの割合を多くすることが可能である。
【００６１】
また、給電されて作動するポンプ部３０が、対向電極部１０の陽極部１１と陰極部１２の間に十分な水流を生じさせることで、対向電極部１０と洗浄水タンク９０内の水との接触機会を増やし、水の電気分解を促して微細気泡や電解水を効率よく発生させることができる。
【００６２】
制御回路部５０は、対向電極部１０とポンプ部３０への電力供給を継続させる中、検出部６０からの制御信号を受けてからの経過時間が、あらかじめ設定された電気分解を終了すべき所定経過時間に達したことを判別すると、制御回路部５０は対向電極部１０とポンプ部３０への電力供給を停止させ、水の電気分解を行わない状態に移行する。
【００６３】
使用者がトイレを使用し、ハンドル（レバー）９２を操作して、洗浄のために洗浄水タンク９０から水が便器へ向け排出されると、微細気泡や電解水を含む洗浄水が便器を洗浄することとなる。洗浄水に含まれる微細気泡や電解水により、洗浄能力及び除菌能力は水のみの場合に比べて大きく向上しており、便器の洗浄と除菌を従前同様の洗浄水を流す操作のみで効率よく且つ強力に進めて、便器の清潔度合いの著しい改善が図れる。特に、ウルトラファインバブルを含む水は物体表面と付着異物との間への浸透力が高い性質から、便器表面の清浄化能力に優れ、洗浄後の便器を清浄な状態に確実に移行させられる。
また、洗浄水の一部は、洗浄後の便器におけるトラップの水封部に留まることから、微細気泡や電解水を含んで除菌効果を有する水が便器の除菌された状態を長時間保持できることとなる。
【００６４】
そして、この使用者のトイレ使用の後のハンドル（レバー）９２操作で、洗浄水タンク９０内の水が洗浄水として排出されるたびに、上記の制御回路部５０の制御による水の電気分解のプロセスが繰り返されることとなり、常に洗浄水として電気分解により生じた微細気泡と電解水を含む水を使用でき、洗浄対象の便器を清潔で且つ除菌された状態に維持できる。
【００６５】
トイレを頻繁に使用しない場合、洗浄水タンク９０内の洗浄水も使用されないまま放置状態となるが、電気分解で発生させたウルトラファインバブルや一部の電解水成分は水中に比較的長期にわたり残留可能であり、タンク内の洗浄水の高い洗浄効果を維持できる。また、洗浄水タンク９０内は、ほぼ連続して、電気分解により生じた微細気泡と電解水を含む水が存在していることから、タンク内の環境も清潔な状態に維持される。
【００６６】
洗浄水タンク９０における長期の使用により対向電極部１０やポンプ部３０にメンテナンスや交換の必要が生じた場合には、洗浄水タンク９０の蓋を開け、対向電極部１０やポンプ部３０をこれらと一体の本体部２０ごと洗浄水タンク９０から取り外し、必要に応じて対向電極部１０やポンプ部３０をさらに本体部２０から取り外して、これらに対するメンテナンス等を行うこととなる。
【００６７】
本体部２０に取り付けた対向電極部１０やポンプ部３０、制御回路部５０をあらためて洗浄水タンク９０内に配設する場合には、洗浄水タンク９０の蓋を開けて、各部品を本体部２０ごと洗浄水タンク９０内側の所定箇所に取り付けることとなる。この場合、本体部２０と各部品の洗浄水タンク９０への取付に係り、補給されたタンク内の水に対し電気分解で生じた電解水や気泡を適切に導入できるように、取付位置や向きの目安となる目印（マーク）を本体部２０と洗浄水タンク９０内面の双方に設けたり、本体部２０が洗浄水タンク９０に対し取付位置及び向きが適切となる場合のみ、互いに嵌合して本体部２０が洗浄水タンク９０に取付可能な形状となるように形成するのが好ましい。
【００６８】
このように、本実施形態に係る微細気泡含有水生成装置は、洗浄水タンク９０内に本体部２０で支持された電気分解用の対向電極部１０を設け、対向電極部１０の周囲及び各電極間に洗浄水タンク９０内の水を流通させて電気分解を行い、電気分解により発生した微細気泡と電解水を洗浄水タンク９０内の水に導入することから、洗浄水タンク９０内の水に微細気泡による洗浄機能と電解水による除菌機能を付与して、これを洗浄水として洗浄水タンク９０から排出して使用した際には、便器を確実に洗浄できると共に便器の除菌を実行でき、さらに、洗浄水の一部が便器のトラップに水封部分として留まり、便器への汚れの再付着防止や便器の除菌を図る状態を所定時間保持できることとなり、便器を清潔で安全な状態に維持できる。
【００６９】
また、対向電極部１０で電気分解して得た微細気泡と電解水を洗浄水として使用される水に直接導入する簡略な構造として、容易に設置することができ、導入のためのコストを抑えられると共に、微細気泡や電解水が水中に留まりやすく、水の洗浄能力と除菌能力をできる限り高めた状態で洗浄水として便器へ送り出せる。
【００７０】
なお、前記実施形態に係る微細気泡含有水生成装置においては、対向電極部１０等の各部品を取り付けた本体部２０を洗浄水タンク９０内の底部に配設する構成としているが、これに限らず、本体部２０を洗浄水タンク９０における水面位置より下側にあたる側壁部内面の所定箇所に配設する構成とすることもでき、前記実施形態同様に、本体部２０で支持する対向電極部１０の周囲に洗浄水タンク９０内の水を流通させて、対向電極部１０から電気分解で生じた微細気泡や電解水を洗浄水タンク９０内の水に導入することができる。
【００７１】
ただし、本体部２０を、洗浄水タンク９０の側壁部内面における、洗浄水排出の際にタンク内水位が一時的に本体部２０を下回り、本体部２０周囲に水が存在しないようになる箇所に配設する際は、図５に示すように、本体部２０が水を所定量貯留可能な略箱状の貯留部２１を有し、所定の開放部分を通じて水が流通可能とされるこの貯留部２１に、対向電極部１０を収容配設する構成とすることもできる。この場合、本体部２０の貯留部２１に一旦水が入ると、本体部周囲に水が存在しない状況に至っても、対向電極部１０の周囲及び電極間には水がある状態をそのまま維持できることから、対向電極部１０に対し本体部２０より外から水の流通がない時期でも、対向電極部１０を常時水と接触させて、電気分解を無理なく実行でき、洗浄水タンク９０への給水がなされて本体部周囲に水が達するタイミングとは別個に最適なタイミングで電気分解を行え、電気分解を実行する時間も長く確保できる。
【００７２】
また、前記実施形態に係る微細気泡含有水生成装置においては、対向電極部１０等の各部品を取り付けた本体部２０を洗浄水タンク９０とは別体としてタンク内に設置する構成としているが、これに限らず、図６に示すように、洗浄水タンク９０内から見て凹部をなすタンクの一部を本体部２５とし、この本体部２５内に対向電極部１０、ポンプ部３０、及び制御回路部５０を設けて、本体部２５を洗浄水タンク９０と一体に取り扱う構成としてもかまわない。この場合、洗浄水タンク９０の凹部が、本体部２５において水を所定量貯留可能な貯留部を兼ねることとなり、対向電極部１０の周囲及び電極間に水がある状態を維持できる。
【００７３】
また、前記実施形態に係る微細気泡含有水生成装置において、水流発生手段として制御回路部５０で作動状態を制御されるポンプ部３０を設ける構成としているが、これに限られるものではなく、別の水流発生手段を設ける構成とすることもでき、例えば、図７に示すように、水流発生手段としてポンプ部に代えてヒータ３２を配設する構成とすることもできる。この場合、ヒータ３２は給電部４０から制御回路部５０を通じて電力を供給されて発熱し、周囲の水を加熱して水の熱対流を生じさせることで、前記同様に対向電極部１０の各陽極部１１と陰極部１２間に水の流通状態を与えることができる。
【００７４】
こうして、本体部１０内のヒータ３２から発生する熱で水の熱対流を生じさせ、この熱対流に基づいて対向電極部１０の陽極部１１と陰極部１２間に水を流通させるようにして、ヒータ３２を水流発生手段として用いることで、水流発生手段の構造を簡略化できると共に、水流を発生させるのに可動部分を有する機構が不要となり、故障が生じにくく、水の流通に係る信頼性を高められる。
【００７５】
このようなヒータ等の発熱源から発生する熱で水を加熱し、熱対流を利用して対向電極部１０の陽極部１１と陰極部１２間に水を流通させるようにする場合、図８に示すように、対向電極部１５をなす陽極部１６と陰極部１７の並ぶ向きを上下方向と直角をなす向きとし、陽極部１６と陰極部１７の間の隙間が上下方向に連続するように配置する構成とすることもでき、発熱源（ヒータ３２）で加熱された水が陽極部１６と陰極部１７の間での上昇を他から特に妨げられることなく継続でき、陽極部１６と陰極部１７の間で水が連続して流通する状態を確保できることとなり、熱対流に伴う流速をできるだけ大きくして水素気泡の引き離し性を向上させ、貯水部へ向かう水素気泡をより小さくして水素気泡の上昇を抑え、水中の水素濃度を高められると共に、流通する水と対向電極部との接触頻度を高められ、電気分解の効率を高められる。
【００７６】
この他、さらに別の水流発生手段として、例えば、本体部や対向電極部を、洗浄水タンク９０内で給水により生じた水の流れの影響が対向電極部の周囲や電極間に及ぶように形成することもでき、この場合、こうした洗浄水タンク９０への給水に伴って発生する水流をそのまま水流発生手段で生じさせた流れと見なすことができ、この流れがある中で対向電極部１０により電気分解を行わせ、微細気泡を発生させるようにすれば、対向電極部１０間に水流を生じさせることのみを目的として特別な水流発生手段を設けずに済むこととなる。
【００７７】
また、前記実施形態に係る微細気泡含有水生成装置においては、洗浄水タンク９０内に収める対向電極部１０やポンプ部３０等の各部品を本体部２０と一体化し、これら各部品に対するメンテナンス等の取り扱いに際して、これら各部品を本体部２０ごと洗浄水タンク９０に対しまとめて着脱する構成としているが、これに限られるものではなく、対向電極部１０やポンプ部３０等の各部品を本体部２０に対し分離可能としたり、これら各部品をそれぞれ取り付けられた本体部の一部を本体部の他部に対し分離可能としたり、あるいは一部の部品を本体部を介さず直接洗浄水タンク９０に着脱可能に取り付けるようにして、対向電極部１０等の各部品を全てまとめてではなく、一又は複数の部品ごとに分けて洗浄水タンク９０に対し着脱可能とする構成としてもかまわない。
【００７８】
（本発明の第２の実施形態）
前記第１の実施形態に係る微細気泡含有水生成装置においては、電力供給のために、洗浄水タンク９０外の給電部４０と洗浄水タンク９０内の制御回路部５０とをケーブル４３で接続すると共に、ケーブル４３の制御回路部側はコネクタ４４による一般的な直接導体接続を採用し、合わせて導体接続部分や、これらケーブル、コネクタ等部品の防水を図る構成としているが、これに限らず、図９に示すように、洗浄水タンク９０の外側の給電部４０とタンク内の受電部４５との間で、非接触で電力伝送を行うようにして、本体部２０に取り付けた各部品への電力供給でケーブル等導体を介さない構成とすることもでき、電力供給に際し、タンク外部からタンク内に通じる電力供給用のケーブル等を不要として、洗浄水タンク９０の外側にケーブル等が現れないようにすることができると共に、制御回路部５０周囲の防水状態を確保しつつの電力線端子接続等の複雑な構造が不要となり、部品点数を減らして電気的接続構造を簡略化できると共に、制御回路部５０を取り付ける本体部２０の防水に係る構造も簡略化でき、コストダウンが図れる。
【００７９】
上記の場合で、前記給電部４０との組で非接触電力伝送を行う受電部４５が、原理的に発熱しやすいことは既知であるが、この点を利用して、図１０に示すように、受電部４６を水流発生手段として用いる構成とすることもできる。
【００８０】
この場合、受電部４６は、電力伝送に伴う発熱で周囲の水を加熱し、水の熱対流を生じさせる。こうした熱による水の対流に伴う上昇流の発生で、受電部４６近くに配設された対向電極部１０の各陽極部１１と陰極部１２周囲で水の上向きの流れが生じ、他部分から水がこの陽極部１１と陰極部１２との間の領域へ流れ込もうとすると共に、陽極部１１と陰極部１２との間から水が周囲に出ようとして、各陽極部１１と陰極部１２間に水の流通状態を与えることとなる。
【００８１】
このように電力伝送を行うチャンバー部１０内の受電部４６から発生する熱で水の熱対流を生じさせ、この熱対流に基づいて対向電極部１０の陽極部１１と陰極部１２間に水を流通させるようにして、受電部４６を水流発生手段としても用いることで、受電部４６の他に別途水流発生手段を設けずに済み、構造を簡略化できると共に、水流を発生させるのに可動部分を有する機構が不要となり、故障が生じにくく、水の流通に係る信頼性を高められる。
【００８２】
この他、上記の場合で、図１１に示すように、給電部４０との組で非接触電力伝送を行う関係上、通電状態となる受電部４７を、対向電極部１８における陽極部と陰極部のいずれか一方を兼ねるものとして用い、板状の電極板を複数重ねて配置した対向電極部と置き換える構成とすることもできる。
【００８３】
この構成の場合、受電部４７は、耐食性を有する金属材部分が露出したコイル部を有して本体部２０に配設され、対向電極部１８における陽極部と陰極部のいずれか一方を兼ねるようにされることで、給電部４０と受電部４７との間で非接触電力伝送がなされ、且つ対向電極部１８をなす他方の電極にも通電がなされると、受電部４７と他方の電極との間で水の電気分解が生じ、受電部４７では通電に伴って露出金属部分に気泡が発生することとなる。
【００８４】
こうして対向電極部１８の一方の電極を兼ねる受電部４７の金属材部分が、周囲の水の電気分解を進行させ、金属表面で気体を発生させることで、受電部４７の他に別途同極側の電極を設けずに済み、構造を簡略化できると共に、受電部４７での電力伝送に伴って発生する熱が水の熱対流をもたらし、受電部近傍に水の流通状態を与える一種の水流発生手段としても作用することとなり、電極をなす受電部４７近傍における水の流通を促して、受電部４７の金属材部分と貯水部内の水とを接触しやすくし、水の電気分解をより効率よく進められる。
【００８５】
また、前記第１の実施形態に係る微細気泡含有水生成装置においては、外部の電源からの電力を給電手段としての給電部４０を経由して洗浄水タンク９０内の対向電極部１０等に供給する構成としているが、この他、本体部２０に充電可能な電池５５を防水状態で配設し、対向電極部１０への通電及びポンプ部３０への通電に係る電力供給を電池５５から行う構成とすることもでき、装置を簡略な構成として取り扱い性を向上させられる。この場合、電池５５への充電を、図１２に示すように、洗浄水タンク９０の外側の給電部４０とタンク内の受電部４５との間の非接触電力伝送により実行する構成とすれば、公知の非接触電力伝送による二次電池の充電機構を採用して、より簡略にシステムを構築できると共に、充電のたびに洗浄水タンク９０内から本体部２０を取り出して電池５５を充電可能な状態とする作業の手間が省ける。
【００８６】
（本発明の第３の実施形態）
前記実施形態に係る微細気泡含有水生成装置においては、洗浄水タンク９０内の本体部２０近傍における水の流動状態を検出して制御回路部５０に対し検出状態を伝える検出部６０を設けて、検出部６０からの検出状態伝達を受けた後、制御回路部５０が適切なタイミングで対向電極部１０への電力供給を開始させる構成としているが、この他、図１３に示すように、洗浄水タンク９０における水排出を検出して制御回路部５０に対し検出状態を伝える検出部６５を、洗浄水タンク９０のフロート弁９３等の排水機構部分に配設し、この検出部６５からの検出状態伝達を受けてから、制御回路部５０が所定のタイミングで対向電極部１０への電力供給を開始させる構成とすることもできる。
【００８７】
なお、検出部６５としては、具体的には、例えばフロート弁９３の開放状態を検出するセンサや、フロート弁９３の開閉に応じて開閉状態が切り替わるスイッチとすることができる。また、こうしたフロート弁９３を検出対象とする以外に、例えば、洗浄操作用のハンドル（レバー）９２の操作に基づく傾動状態を検出するようにしてもかまわない。
【００８８】
この場合、検出部６５が水排出を検出すると、排水や給水を経た後の、洗浄水タンク内の水が電気分解で発生した気泡及び電解水を問題なく導入できる状態にある所定のタイミングで、制御回路部５０が対向電極部１０への電力供給を開始させて、電気分解が行われることから、対向電極部１０周囲の水に対し適切なタイミングで電気分解を行って、洗浄水タンク９０内の水に対し、微細気泡や電解水を無駄なく十分に導入することができ、洗浄水に微細気泡や電解水による洗浄能力や除菌能力を適切に付与できると共に、微細気泡や電解水の導入から洗浄水の排出まで過剰に時間が経過しないようにして、洗浄能力や除菌能力を十分に発揮できる期間に洗浄水を排出して使用できることとなり、便器の洗浄と除菌を効率よく実行できる。
【００８９】
一方、図１４に示すように、洗浄水タンク９０内への水供給を検出して制御回路部５０に対し検出状態を伝える給水検出部７０を、洗浄水タンク９０の給水機構部分に配設し、この給水検出部７０からの検出状態伝達を受けてから、制御回路部５０が所定のタイミングで対向電極部１０への電力供給を開始させる構成とすることもできる。
【００９０】
この場合も、給水検出部７０が水供給を検出すると、制御回路部５０が所定時間経過の後に対向電極部１０への電力供給を開始させて、電気分解が行われることから、対向電極部１０周囲の水に対し適切なタイミングで電気分解を行って、洗浄水タンク９０内の水に対し、微細気泡や電解水を無駄なく十分に導入することができ、洗浄水に微細気泡や電解水による洗浄能力や除菌能力を適切に付与できると共に、微細気泡や電解水の導入から洗浄水の排出まで過剰に時間が経過しないようにして、洗浄能力や除菌能力を十分に発揮できる期間に洗浄水を排出して使用できることとなり、便器の洗浄と除菌を効率よく実行できる。
【００９１】
（本発明の第４の実施形態）
本発明の第４の実施形態に係る微細気泡含有水生成装置水処理装置を図１５及び図１６に基づいて説明する。
前記各図において本実施形態に係る微細気泡含有水生成装置２は、前記第１の実施形態同様、対向電極部１０と、本体部２０と、ポンプ部３０と、給電部４０と、制御回路部５０とを備える一方、異なる点として、本体部１０の設置箇所を洗浄水タンク９０の蓋部９５上側の、水を吐出する手洗カラン９４の下側とし、検出部６０に代えて、洗浄水タンク９０における水排出を検出して制御回路部５０に対し検出状態を伝える検出部６５を、洗浄水タンク９０のフロート弁９３等の排水機構部分に配設する構成を有するものである。
【００９２】
なお、本実施形態における対向電極部１０、ポンプ部３０、給電部４０、及び制御回路部５０は、前記第１の実施形態と同様の構成であり、詳細な説明を省略する。また、本実施形態における検出部６５は、前記第３の実施形態と同様の構成であり、詳細な説明を省略する。
【００９３】
前記本体部２０は、水を所定量貯留可能な貯留部２１を有すると共に、この貯留部２１と外部との間で水を流通可能とする開放部分を複数設けられてなり、洗浄水タンク９０の蓋部９５上面における手洗カラン９４吐出口の下方位置に着脱可能に取り付けられる構成である。この本体部２０の貯留部２１に、対向電極部１０が着脱可能に収容配設される。
【００９４】
本体部２０は、前記第１の実施形態と同様、対向電極部１０、ポンプ部３０、及び制御回路部５０を一体に取り付けられて、これらを支持するものである。この本体部２０と、これに取り付けられる対向電極部１０、ポンプ部３０、及び制御回路部５０の各部品は、洗浄水タンク９０に対し本体部２０ごと着脱されることとなる。
【００９５】
この本体部２０は、洗浄水タンク９０上側で給水時に水を吐出する手洗カラン９４の下側に配設されると共に、貯留部２１を外部に対し開放状態とすることで、貯留部２１に配設した対向電極部１０の周囲及び陽極部１１と陰極部１２との間の隙間に、手洗カラン９４から吐出されて洗浄水タンク９０内に入ろうとする水を流通可能としている。そして、本体部２０に対し、手洗カラン９４から水が続けて吐出されて貯留部２１に流入することで、電気分解により対向電極部１０で発生した気泡及び電解水を導入された水が、貯留部２１から順次あふれて洗浄水タンク９０内に流下する仕組みである。
【００９６】
また、本体部２０は、水を貯留可能とした貯留部２１を有しており、この貯留部２１に一旦水が入ると、貯留部２１に水が常に一定量残ることから、本体部２０に対し手洗カラン９４からの給水がなされない状況に至っても、対向電極部１０の周囲及び電極間に常に水が存在する状態が確保されている。
【００９７】
この本体部２０の一部は、対向電極部１０の上側に位置して対向電極部１０をカバー状に覆う配置とされており、対向電極部１０を人が誤って触れないよう隔離、保護する一方、水や気泡は通過可能として、対向電極部１０における水の電気分解や、対向電極部１０側から貯留部２１上部の水への電解水及び気泡の進行を妨げないものとなっている。
【００９８】
次に、本実施形態に係る微細気泡含有水生成装置の使用状態について説明する。前提として、前記第１の実施形態同様、洗浄水タンク９０の外に設けられる給電部４０が、外部の電源（図示を省略）と接続されて電力供給を継続的に行える状態となっており、給電部４０からの電力伝送に基づいて、制御回路部５０を通じた対向電極部１０やポンプ部３０への電力供給が可能な状態にあるものとする。また、洗浄水タンク９０上には対向電極部１０、ポンプ部３０、及び制御回路部５０と一体の本体部２０があらかじめ配設された上で、洗浄水タンク９０には使用のつど十分な量の水が補給され、給水の一部が手洗水として手洗カラン９４から吐出され、タンク蓋部の孔から洗浄水タンク９０内に入るものとする。
【００９９】
使用者の洗浄水を流すハンドル（レバー）９２操作により、洗浄水タンク９０のフロート弁９３が開放し、洗浄水タンク９０から水が洗浄水として便器へ向け排出されると、この水排出状態を検出部６５が検出し、検出に係る制御信号が、検出部６５から制御回路部５０に送信される。
【０１００】
この制御信号を制御回路部５０が受信すると、制御回路部５０は、対向電極部１０とポンプ部３０への電力供給を開始させる。本体部２０の貯留部２１には以前に手洗カラン９４から吐出された水の一部が残っていることで、対向電極部１０の周囲には水が存在しており、制御回路部５０は、あらかじめ設定された生成速度で発生気体の気泡が得られるように、対向電極部１０の陽極部１１及び陰極部１２への通電を実行して、対向電極部１０周囲の水の電気分解を進行させる。
【０１０１】
洗浄水の排出後、洗浄水タンク９０ではフロート弁９３が閉止すると共にボールタップ９１の作動により給水状態となり、洗浄水タンク９０に水が補給される。同時に、給水の一部が手洗カラン９４から吐出されて本体部２０内に流れ込むため、対向電極部１０の周囲には新たな水が到達、流通でき、水の電気分解を問題なく継続可能である。手洗カラン９４から吐出されて本体部２０に達した水は、本体部２０の貯留部２１に流入し、貯留部２１の容量を超えた分の水が貯留部２１からあふれて本体部外に出た後、タンク蓋部９５の孔９６から洗浄水タンク９０内に流れ込み、当初から洗浄水タンク９０内に供給された水を含む洗浄水タンク９０内の水と合流する。
【０１０２】
なお、給水開始により手洗カラン９４から吐出された水の本体部２０内への到達に先行して、対向電極部１０での電気分解を開始していることで、本体部２０の貯留部２１からあふれ出る初期の水についても微細気泡と電解水を十分に含む状態として洗浄水タンク９０内に向かわせることができる。
【０１０３】
対向電極部１０での電気分解は、前記第１の実施形態同様、陰極部１２では還元により気体（例えば、水素など）が表面に気泡として多数発生し、且つ各気泡が成長する状態となる。また、陽極部１１側では、酸化により気体（例えば、酸素など）が表面に気泡として多数発生し、且つ各気泡が成長する状態となる。加えて、陽極部１１及び陰極部１２の各近傍では電気分解に伴い電解水がそれぞれ生じ、特に、一方の電極側で除菌効果の高い電解水（例えば、次亜塩素酸を含むもの）が生じることとなる。
【０１０４】
制御回路部５０は、電気分解に係る対向電極部１０への通電と共に、ポンプ部３０への通電も合わせて行っており、電気分解と同時に、ポンプ部３０による対向電極部１０の陽極部１１と陰極部１２間への水の送給がなされ、陽極部１１と陰極部１２の間には水が流れる状態となっている。
【０１０５】
こうしてポンプ部３０が陽極部１１と陰極部１２の間に十分な水流を生じさせていることで、陽極部１１や陰極部１２の表面に発生した気泡は、あまり成長せず小さい微細気泡（例えば、ウルトラファインバブル）の状態のまま、陽極部１１や陰極部１２の表面から離れ、陽極部１１や陰極部１２の側方あるいは貫通孔を通って上方へ向かい、本体部２０の貯留部２１からあふれる水と共に洗浄水タンク９０内へ進む。これにより、微細気泡と電解水を含む水が洗浄水タンク９０内の水と合わさり、これらを一まとまりの微細気泡や電解水を含む洗浄水として使用可能となる。
【０１０６】
気泡の大きさは、前記第１の実施形態同様、制御回路部５０によるポンプ部３０の作動状態の制御で、水流の流速を変えて、水流が気泡を対向電極部１０の各表面から引き離す度合いを変化させることで調整でき、微細気泡におけるマイクロバブルの割合を多くしたり、逆にウルトラファインバブルの割合を多くすることが可能である。
【０１０７】
また、給電されて作動するポンプ部３０が、対向電極部１０の陽極部１１と陰極部１２の間に十分な水流を生じさせることで、対向電極部１０と本体部２０の貯留部２１に流入した水との接触機会を増やし、水の電気分解を促して微細気泡や電解水を効率よく発生させることができる。
【０１０８】
洗浄水タンク９０においては、水の継続的な補給によりタンク内の水が満水状態に達すると、ボールタップ９１が閉止状態に移行して給水終了となる。これに合わせて、手洗カラン９４からの水の吐出も停止し、本体部２０内への水供給が終了となる。
【０１０９】
制御回路部５０は、こうして手洗カラン９４からの水の吐出停止に伴う本体部２０への給水が終了した後も、対向電極部１０とポンプ部３０への電力供給を継続させているが、このように手洗カラン９４からの水の吐出が停止して間もなく、排水検出部６０からの制御信号を受けてからの経過時間が、あらかじめ設定された電気分解を終了すべき所定経過時間に達したことを判別すると、制御回路部５０は対向電極部１０とポンプ部３０への電力供給を停止させ、水の電気分解を行わない状態に移行する。
【０１１０】
使用者がトイレを使用し、ハンドル（レバー）９２を操作して、洗浄水タンク９０から水が便器へ向け排出されると、微細気泡や電解水を含む洗浄水が便器を洗浄することとなる。前記第１の実施形態同様、洗浄水に含まれる微細気泡や電解水により、洗浄能力及び除菌能力は水のみの場合に比べて大きく向上しており、便器の洗浄と除菌を効率よく且つ強力に進められ、便器の清潔度合いの著しい改善が図れる。また、洗浄水の一部は、洗浄後の便器におけるトラップの水封部に留まることから、微細気泡や電解水を含んで除菌効果を有する水が便器の除菌された状態を長時間保持できることとなる。
【０１１１】
そして、この使用者のトイレ使用の後のハンドル（レバー）９２操作で、洗浄水タンク９０内の水が洗浄水として排出されるたびに、洗浄水タンク９０上側で上記の制御回路部５０の制御による水の電気分解のプロセスが繰り返されることとなり、常に洗浄水として電気分解により生じた微細気泡と電解水を含む水を使用でき、洗浄対象の便器を清潔で且つ除菌された状態に維持できる。
【０１１２】
トイレを頻繁に使用しない場合、洗浄水タンク９０内の洗浄水も使用されないまま放置状態となるが、電気分解で発生させたウルトラファインバブルや一部の電解水成分は水中に比較的長期にわたり残留可能であり、タンク内の洗浄水の高い洗浄効果を維持できる。また、洗浄水タンク９０内や本体部２０内は、ほぼ連続して、電気分解により生じた微細気泡と電解水を含む水が存在していることから、タンク内や本体部内の環境も清潔な状態に維持され、洗浄水に悪影響を与えることはない。
【０１１３】
長期の使用により対向電極部１０やポンプ部３０にメンテナンスや交換の必要が生じた場合には、対向電極部１０やポンプ部３０をこれらと一体の本体部２０ごと洗浄水タンク９０上から取り外し、必要に応じて対向電極部１０やポンプ部３０をさらに本体部２０から取り外して、これらに対するメンテナンス等を行うこととなる。
【０１１４】
対向電極部１０やポンプ部３０、制御回路部５０が取り付けられた本体部２０をあらためて洗浄水タンク９０上に配設する場合には、本体部２０がちょうど手洗カラン９４の吐出口下側に位置するように、本体部２０を洗浄水タンク９０上部に取り付けることとなる。この場合、本体部２０の洗浄水タンク９０上への取付に係り、手洗カラン９４から吐出された水に対し電気分解で生じた電解水や気泡を適切に導入できるように、取付位置や向きの目安となる目印（マーク）を本体部２０と洗浄水タンク９０上面（蓋部９５）の双方に設けたり、本体部２０が洗浄水タンク９０に対し取付位置及び向きが適切となる場合のみ、互いに嵌合して本体部２０が洗浄水タンク９０上に取付可能な形状となるように形成するのが好ましい。
【０１１５】
このように、本実施形態に係る微細気泡含有水生成装置は、対向電極部１０を支持する本体部２０が、洗浄水タンク９０の上側で手洗カラン９４吐出口の下方となる箇所に配設されることから、洗浄水タンク９０への給水の際に手洗カラン９４から吐出されて最終的にタンク内に流れ込む水に対し適切に電気分解を実行して、洗浄水タンク９０内の水に微細気泡と電解水を導入できる状態を確保しつつ、洗浄水タンク９０に対し対向電極部１０等と一体の本体部２０の取付けや取外しが容易に行え、対向電極部１０をはじめとする各部のメンテナンスをスムーズに実行でき、保守作業の負担を減らせると共に、本体部２０及びこれに取り付けられる対向電極部１０以外の各部品が水没しない配置状態となることで、防水機構を簡略化でき、装置のコストを抑えられる。
【０１１６】
また、本体部２０が水を流通可能とした貯留部２１を有して、この貯留部２１に対向電極部１０を収容配設して、貯留部２１に一旦水が入ると、本体部２０に対し手洗カラン９４からの給水がなされない状況に至っても、対向電極部１０の周囲及び電極間に水がある状態をそのまま維持できることから、洗浄水タンク９０からの水排出時や洗浄水タンク９０が満水で給水がなされない状況など、本体部２０に対し水の流通がない時期でも、対向電極部１０を常時水と接触させて、電気分解を無理なく実行でき、電気分解を洗浄水タンク９０への給水タイミングと別個に最適なタイミングで行って、洗浄水に対し効率よく微細気泡と電解水を導入することができる。
【０１１７】
なお、前記実施形態に係る微細気泡含有水生成装置においては、手洗カラン９４から吐出された水をそのまま本体部２０の貯留部２１に導いて対向電極部１０で電気分解を行わせると共に、貯留部２１からあふれた水をそのまま本体部２０外に導いて洗浄水タンク９０に流入させる構成としているが、これに限らず、本体部２０における、手洗カラン９４から吐出された水と接触可能な略箱状の貯留部近傍の所定箇所、又は、貯留部からあふれた水と接触可能な貯留部近傍の所定箇所に、水が接すると少しずつこの水に溶け出して混入する薬剤（例えば、洗浄剤や芳香剤など）を配置して、手洗カラン９４を経由して洗浄水タンク９０に入る水に薬剤を添加し、これを洗浄水タンク９０内の水全体に行き渡らせる構成とすることもできる。この薬剤としては、微細気泡や電解水に悪影響を与えないか、微細気泡や電解水の効果を促進する性質のものを用いるのが好ましい。なお、手洗カラン９４から吐出された直後の対向電極部１０と接する前の水に対する薬剤としては、電気分解を妨げないものを使用する。この場合、薬剤には、電気分解を促して微細気泡や電解水の発生効率を高めたり、電解水の性質を調整して除菌能力を高めたり他の好ましい特性を付与するような成分を付加することもできる。
【０１１８】
また、前記実施形態に係る微細気泡含有水生成装置においては、対向電極部１０を含む各部品を取り付けられた本体部２０を、洗浄水タンク９０の上側で手洗カラン９４吐出口の下方となる箇所に配設する構成としているが、これに限らず、図１７に示すように、対向電極部１０を含む各部品を取り付けられた本体部２０が、洗浄水タンク９０の蓋部９５の孔９６下方となる洗浄水タンク９０内所定箇所に吊り下げ状態で配設される構成とすることもできる。
【０１１９】
この場合も、洗浄水の排出後、洗浄水タンク９０に水が補給されるのと同時に手洗カラン９４から吐出された水が、一旦タンク蓋部９５に達し、孔９６に集中して流入する過程を経て、前記実施形態同様、本体部２０内に流れ込み、電気分解で生じた電解水や気泡を導入された上で、本体部外にあふれ出て洗浄水タンク９０内の水と合流することとなり、微細気泡と電解水を含む水を洗浄水タンク９０内に保持して適切に洗浄水として使用できる。
また、手洗カラン９４の下側を広く空いた状態にできることで、吐出時の手洗いを行いやすくすることができる。
【０１２０】
また、前記実施形態に係る微細気泡含有水生成装置において、水流発生手段として制御回路部５０で作動状態を制御されるポンプ部３０を設ける構成としているが、これに限られるものではなく、別の水流発生手段を適用する構成とすることもでき、例えば、本体部や対向電極部を、手洗カラン９４からの吐水により生じた水の流れの影響が対向電極部の周囲や電極間に及ぶように形成することもでき、この場合、こうした手洗カラン９４からの吐水に伴って発生する水流をそのまま水流発生手段で生じさせた流れと見なすことができ、この流れがある中で対向電極部１０により電気分解を行わせ、微細気泡を発生させるようにすれば、対向電極部１０間に水流を生じさせることのみを目的として特別な水流発生手段を設けずに済むこととなる。
【０１２１】
また、前記実施形態に係る微細気泡含有水生成装置においては、洗浄水タンク９０における水排出を検出して制御回路部５０に対し検出状態を伝える排水検出部６０を設けて、排水検出部６０からの検出状態伝達を受けて、制御回路部５０が対向電極部１０への電力供給を開始させる構成としているが、これに限られるものではなく、例えば、本体部２０に設けられて、手洗カラン９４から吐出され流下した水が接したことを検出する検出手段を用いるようにし、この検出手段から検出状態伝達を受けて、制御回路部５０が対向電極部１０への電力供給を開始させる構成とすることもできる。この場合、本体部２０上への水到達を検出して電気分解を行えることで、本体部２０から離れた洗浄水タンク９０内等に排水検出部や給水検出部といった外付けの検出手段を別途設けずに済み、装置構成を簡略化してコストダウンが図れることとなる。
【０１２２】
（本発明の第５の実施形態）
前記第４の実施形態に係る微細気泡含有水生成装置においては、対向電極部１０を含む各部品を取り付けられた本体部２０を、洗浄水タンク９０の上側で手洗カラン９４吐出口の下方となる箇所に配設する構成としているが、この他、図１８に示すように、対向電極部１０を含む各部品を取り付けられた本体部２０が、手洗カラン９４より上流側の、ボールタップ９１から手洗カラン９４への給水管路途中の所定箇所に配設される構成とすることもできる。
【０１２３】
この場合、図１９に示すように本体部２０は、中空の容器状として形成され、一方の開口端部をボールタップ９１側の給水管路９７端部に接続され、他方の開口端部を手洗カラン９４側の給水管路９８端部に接続されて配設される構成である。そして、ボールタップ９１から手洗カラン９４に向かって流れる水が通る本体部２０の中空部２２に、対向電極部１０が配設されることとなる。
【０１２４】
この本体部２０では、中空部２２に配設した対向電極部１０の周囲及び陽極部１１と陰極部１２との間の隙間に、手洗カラン９４に向かう水を流通可能としている。そして、本体部２０に対し、手洗カラン９４からの手洗水吐出のためにボールタップ９１側から水が供給され、中空部２２に流入することで、電気分解により対向電極部１０で発生した気泡及び電解水を導入された水が、中空部２２から手洗カラン９４側に進み、手洗カラン９４から吐出されて最終的に洗浄水タンク９０内に流下する仕組みである。
【０１２５】
このように、本実施形態に係る微細気泡含有水生成装置では、対向電極部１０を支持する本体部２０が、ボールタップ９１から手洗カラン９４への給水管路途中に配設されることから、洗浄水タンク９０への給水の際に手洗カラン９４から吐出されて最終的にタンク内に流れ込む水に対し適切に電気分解を実行して、洗浄水タンク９０内の水に微細気泡と電解水を導入できる状態を確保しつつ、手洗カラン９４より上流側に位置させた対向電極部１０で電気分解を行って、手洗カラン９４から吐出される水が既に微細気泡と電解水を含んだ状態とすることができ、トイレの使用者が手洗カラン９４から吐出される水で手を洗う際に、手に対しても高い洗浄効果と除菌効果が発揮されることとなり、トイレ使用後の手を確実に清潔な状態にできる。
【０１２６】
また、本体部２０が水を流通可能とした中空部２２を有して、この中空部２２に対向電極部１０を収容配設して、中空部２２に一旦水が入ると、本体部２０に対しボールタップ９１側からの給水がなされない状況に至っても、対向電極部１０の周囲及び電極間に水がある状態をそのまま維持できることから、洗浄水タンク９０からの水排出時や洗浄水タンク９０が満水で給水がなされない状況など、本体部２０に対し水の流通がない時期でも、対向電極部１０を常時水と接触させて、電気分解を無理なく実行でき、電気分解を洗浄水タンク９０への給水タイミングと別個に最適なタイミングで行って、洗浄水に対し効率よく微細気泡と電解水を導入することができる。
【０１２７】
（本発明の第６の実施形態）
前記第１ないし第５の各実施形態に係る微細気泡含有水生成装置は、一つの便器に対し専用のロータンクとしての洗浄水タンクが一台組み合わされる、家庭用トイレの洗浄システムにおける洗浄水タンク９０に本発明装置を適用する例としているが、これに限られるものではなく、図２０に示すように、一台の洗浄水タンクから複数の便器に洗浄水を排出供給する公衆トイレ等の洗浄システムにおける洗浄水タンク９９に対し、本発明装置を適用するようにすることもできる。
【０１２８】
具体的には、複数の便器１００と管路で接続されて洗浄水を各便器１００に供給可能な洗浄水タンク９９内に、前記第１の実施形態と同様に、対向電極部１０等の各部品を取り付けた本体部２０を洗浄水タンク９９内の底部に配設する構成とすることができる。
【０１２９】
ただし、洗浄水タンク９９の容量は接続された便器の数に応じた水量を貯留可能なものとなっていることから、一つの便器の使用後の洗浄で、前記各実施形態のように洗浄水タンク９０内の洗浄水がほとんど全て使用されるということはなく、洗浄水タンク９９内の水が一部排出されてタンク内水位がわずかに低下するのみである。また、洗浄水タンク９９への給水についても、タンク内水位が所定下限水位を下回った場合に給水が行われ、十分な貯留水量（満水量）に対応する水位に達すると給水が停止する仕組みである。
【０１３０】
このため、対向電極部１０で電気分解を行って洗浄水タンク９９内の水に微細気泡と電解水を導入するにあたっては、制御回路部５０で対向電極部１０への電力供給を制御すると共に、洗浄水タンク９９の給水機構部分に洗浄水タンク９９内への水供給を検出する給水検出部を配設して、この給水検出部から検出状態を制御回路部５０に伝達可能とする。そして、給水検出部で水供給を検出すると、制御回路部５０が対向電極部１０への電力供給を開始させて、対向電極部１０で電気分解を行わせることとなる。
【０１３１】
制御回路部５０は、この後、給水検出部から検出状態を伝達されてからの経過時間が、あらかじめ設定された電気分解実行期間の終了時に達したこと、すなわち、電気分解で生じた微細気泡や電解水を洗浄水タンク９９の満水量分に相当する水に十分に導入できるだけの時間が経過したこと、を判別すると、対向電極部１０とポンプ部３０への電力供給を停止させ、水の電気分解を行わない状態に移行する。この間、洗浄水タンク９９においては、通常は水の継続的な補給により、タンク内の水が既に満水量に達し、給水停止となっている。
【０１３２】
こうした複数の便器１００に洗浄水タンク９９から洗浄水を供給する場合も、使用後の便器に対し、洗浄に係るハンドル等の操作がなされるか、使用者の離隔状態をセンサで検出して洗浄実行制御がなされると、前記各実施形態同様、洗浄のために洗浄水タンク９９から水が便器へ向け排出され、微細気泡や電解水を含む洗浄水が便器を洗浄することとなる。
【０１３３】
この場合、洗浄水タンク９９でまとめて微細気泡や電解水を含む洗浄水を用意することで、複数の便器に対し、微細気泡や電解水による洗浄能力や除菌能力を適切に付与した洗浄水を偏り無く供給して、各便器の洗浄と除菌を効率よく且つ強力に実行でき、洗浄対象となるいずれの便器についても、清潔で且つ除菌された状態に維持できる。
【符号の説明】
【０１３４】
１                微細気泡含有水生成装置
１０、１５        対向電極部
１１、１６        陽極部
１１ａ、１２ａ    貫通孔
１２、１７        陰極部
１８              対向電極部
２０、２５        本体部
２１              貯留部
２２              中空部
３０              ポンプ部
３２              ヒータ
４０              給電部
４３              ケーブル
４４              コネクタ
４５、４６、４７  受電部
５０              制御回路部
５５              電池
６０              排水検出部
７０              給水検出部
９０、９９        洗浄水タンク
９１              ボールタップ
９２              ハンドル
９３              フロート弁
９４              手洗カラン
９５              蓋部
９６              孔
９７、９８        給水管路
１００            便器
【図１】
2018108555.tif 000003
【図２】
2018108555.tif 000004
【図３】
2018108555.tif 000005
【図４】
2018108555.tif 000006
【図５】
2018108555.tif 000007
【図６】
2018108555.tif 000008
【図７】
2018108555.tif 000009
【図８】
2018108555.tif 000010
【図９】
2018108555.tif 000011
【図１０】
2018108555.tif 000012
【図１１】
2018108555.tif 000013
【図１２】
2018108555.tif 000014
【図１３】
2018108555.tif 000015
【図１４】
2018108555.tif 000016
【図１５】
2018108555.tif 000017
【図１６】
2018108555.tif 000018
【図１７】
2018108555.tif 000019
【図１８】
2018108555.tif 000020
【図１９】
2018108555.tif 000021
【図２０】
2018108555.tif 000022